(57)【特許請求の範囲】
【請求項１】
遊戯機本体に対し遊戯機扉を回動可能に連結する遊戯機扉のヒンジ機構であって、
遊戯機本体と遊戯機扉との間に掛け渡された複数のリンクを備え、遊戯機扉の閉止位置から開放位置への回動動作によって回動中心を遊戯機本体から離間する方向へと移動させるリンク部材と、
前記リンクに設けられ、少なくとも前記遊戯機扉が前記閉止位置又は前記開放位置となったときに当接して遊戯機扉の回動を制限する当接部と、
前記遊戯機本体に取り付けられると共に前記複数のリンクがそれぞれ軸支される本体側ハウジングと、
を有し、
前記本体側ハウジングが、
前記遊戯機扉の回動方向に沿って配置される第１壁部と、
前記第１壁部と一体的に且つ平行に配置される第２壁部と、
前記第１壁部から延出され、前記遊戯機本体に固着される第１取付板部と、
前記第２壁部から延出され、前記遊戯機本体に固着される第２取付板部と、
を備えると共に、
前記第１取付板部の前記第１壁部からの延出方向と前記第２取付板部の前記第２壁部からの延出方向とが同方向とされていることを特徴とする遊戯機扉のヒンジ機構。
【請求項２】
前記複数のリンクの少なくとも１つ及び前記本体側ハウジングに形成され、前記遊戯機扉が前記開放位置及び前記閉止位置にあるときに接触して遊戯機扉の回動抵抗となると共に、遊戯機扉の回動動作によって押圧されリンクの回動領域から弾性的に退避する接触部材、
を有することを特徴とする請求項１に記載の遊戯機扉のヒンジ機構。
【請求項３】
前記接触部材が、
前記リンクの少なくとも１つに形成された凸部と、
前記リンクの回動による前記凸部の移動領域内に少なくとも一部が位置するように前記本体側ハウジングに取り付けられ、この移動領域から弾性的に退避可能とされたストッパと、
を含んで構成されていることを特徴とする請求項２に記載の遊戯機扉のヒンジ機構。
【請求項４】
前記ストッパに設けられ、ストッパを前記本体側ハウジングに対して仮留め可能とする仮留め部材、
を有することを特徴とする請求項３に記載の遊戯機扉のヒンジ機構。
【発明の詳細な説明】
【０００１】
【発明の属する技術分野】
本発明は、遊戯機本体に対し遊戯機扉を回動可能に連結する遊戯機扉のヒンジ機構に関する。
【０００２】
【従来の技術】
図６及び図７には、従来の遊戯機扉のヒンジ機構が示されている（特開平６−２９２７５８号公報参照）。
【０００３】
このヒンジ機構１１２では、機械本体（遊戯機本体）の枠体１１４に設置された金属平板１１６と、扉１１８に設置された平金具１２０との間に、長リンク１２２及び短リンク１２４が枢着されている。図７に示すように、扉１１８を機械本体に対して開放した状態では、その開放位置が機械本体の前方（図７において下方）に位置するため、隣接する機械本体の扉の開放時に邪魔にならないようになっている。
【０００４】
また、このヒンジ機構１１２では、平金具１２０の上面に、突起１２６を突出させている。突起１２６は、図７から分かるように、扉１１８が９０度開放されたときに長リンク１２２の側面と当接する位置とされており、扉１１８の回動角度を制限している。
【０００５】
このように、従来のヒンジ機構１１２では、扉１１８の回動角度を一定範囲内に制限するために、突起１２６等の別部材を設けているため、部品点数が増大していた。また、ヒンジ機構１１２の製造工程も煩雑になるため、製造コストの上昇を招くことがあった。
【０００６】
【発明が解決しようとする課題】
本発明はかかる事実を考慮し、製造工程を煩雑にすることなく低コストで製造でき、しかも遊戯機扉の遊戯機本体に対する回動範囲を確実に一定範囲内に制限できる遊戯機扉のヒンジ機構を得ることを課題とする。
【０００７】
【課題を解決するための手段】
請求項１に記載の発明では、遊戯機本体に対し遊戯機扉を回動可能に連結する遊戯機扉のヒンジ機構であって、遊戯機本体と遊戯機扉との間に掛け渡された複数のリンクを備え、遊戯機扉の閉止位置から開放位置への回動動作によって回動中心を遊戯機本体から離間する方向へと移動させるリンク部材と、前記リンクに設けられ、少なくとも前記遊戯機扉が前記閉止位置又は前記開放位置となったときに当接して遊戯機扉の回動を制限する当接部と、前記遊戯機本体に取り付けられると共に前記複数のリンクがそれぞれ軸支される本体側ハウジングと、を有し、前記本体側ハウジングが、前記遊戯機扉の回動方向に沿って配置される第１壁部と、前記第１壁部と一体的に且つ平行に配置される第２壁部と、前記第１壁部から延出され、前記遊戯機本体に固着される第１取付板部と、前記第２壁部から延出され、前記遊戯機本体に固着される第２取付板部と、を備えると共に、前記第１取付板部の前記第１壁部からの延出方向と前記第２取付板部の前記第２壁部からの延出方向とが同方向とされていることを特徴とする。
【０００８】
すなわち、この遊戯機扉のヒンジ機構（適宜「ヒンジ機構」と略す）では、リンク部材を構成する複数のリンクが遊戯機本体と遊戯機扉との間に掛け渡されており、これらのリンクによって遊戯機本体に対し遊戯機扉が回動可能に連結される。
【０００９】
複数のリンクで構成されたリンク部材は、遊戯機扉を閉止位置から開放位置へと回動させる動作により、遊戯機扉の回動中心を遊戯機本体から離間する方向へと移動させる。これにより、遊戯機扉は開放動作によって遊戯機本体から離間しつつ（手前にせり出すように）移動するので、開放時に例えば隣接する遊戯機本体等に接触することが防止される。従って、遊戯機間の間隔を短くして遊戯機を設置することが可能になる。
【００１０】
複数のリンクには、それぞれ当接部が設けられている。それぞれの当接部は、少なくとも遊戯機扉が閉止位置又は開放位置となったときに当接して遊戯機扉の回動を制限する。これにより、遊戯機扉が閉止位置又は開放位置で確実に固定される。また、リンク自体に当接部を設けて、遊戯機扉を閉止位置又は開放位置で固定するようにしているので、遊戯機扉を所定位置で固定するために従来の突起のような別部材を設ける必要がない。このため、ヒンジ機構を構成する部品点数が少なくなる。ヒンジ機構の製造工程が簡単になり、低コストでヒンジ機構を構成することもできる。
また、このヒンジ機構では、遊戯機本体に取り付けられると共に複数のリンクがそれぞれ軸支される本体側ハウジングを有している。この本体側ハウジングを遊戯機本体に取り付けることで、複数のリンクが本体側ハウジングを介して遊戯機本体に軸支される。これにより、複数のリンクが軸支された本体側ハウジングを遊戯機本体に取り付けるだけで、リンクそれぞれを遊戯機本体に軸支させることができるので、ヒンジ機構の遊戯機本体への取付が容易になる。
さらに、このヒンジ機構では、本体側ハウジングが、遊戯機扉の回動方向に沿って配置される第１壁部、及び、第１壁部と一体的に且つ平行に配置される第２壁部を有している。従って、例えば第１壁部と第２壁部との間に複数のリンクを配置するように構成できる。また、第１壁部から第１取付板部が延出されると共に、第２壁部から第２取付板部が延出されているので、第１取付板部及び第２取付板部によって本体側ハウジングを遊戯機本体に確実に取り付けできる。
しかも、第１取付板部の第１壁部からの延出方向と第２取付板部の第２壁部からの延出方向とは同方向とされている。このため、これらの延出方向を逆方向とした場合と比較して、より狭い取り付けスペースで、本体側ハウジングを遊戯機本体に取り付けることができる。
【００１１】
請求項２に記載の発明では、請求項１に記載の発明において、前記複数のリンクの少なくとも１つ及び前記本体側ハウジングに形成され、前記遊戯機扉が前記開放位置及び前記閉止位置にあるときに接触して遊戯機扉の回動抵抗となると共に、遊戯機扉の回動動作によって押圧されリンクの回動領域から弾性的に退避する接触部材、を有することを特徴とする。
【００１３】
複数のリンクの少なくとも１つ及び本体側ハウジングには、接触部材が形成されている。接触部材は、遊戯機扉が開放位置及び閉止位置にあるときに接触して遊戯機扉の回動抵抗となる。このため、遊戯機扉が開放位置及び閉止位置から不用意に回動することが防止される。また、接触部材は、遊戯機扉の回動動作によって押圧されリンクの回動領域から弾性的に退避する。このため、遊戯機扉の回動が制限されることはない。遊戯機扉が開放位置又は閉止位置に至ると接触部材が弾性的にリンクの回動領域に復元するように構成することで、遊戯機扉の回動動作に適度なクリック感を生じさせ、回動の操作をより確実に行わせることも可能となる。
【００１４】
請求項３に記載の発明では、請求項２に記載の発明において、前記接触部材が、前記リンクの少なくとも１つに形成された凸部と、前記リンクの回動による前記凸部の移動領域内に少なくとも一部が位置するように前記本体側ハウジングに取り付けられ、この移動領域から弾性的に退避可能とされたストッパと、を含んで構成されていることを特徴とする。
【００１５】
従って、リンクの回動動作に伴って凸部も移動するが、この移動領域内に、ストッパの少なくとも一部が位置している。このため、凸部がストッパに接触して、リンクの回動に抵抗が生じる。ストッパは、凸部の移動領域から弾性的に退避可能とされているので、凸部に押されて退避し、リンクは回動可能となる。凸部通過後は、ストッパが弾性復元し、凸部の移動領域内に再度位置する。
【００１６】
このように、アームに凸部を設けると共に、本体側ハウジングにストッパを取り付けるだけの簡単な構成で、接触部材を構成できる。
【００１７】
請求項４に記載の発明では、請求項３に記載の発明において、前記ストッパに設けられ、ストッパを前記本体側ハウジングに対して仮留め可能とする仮留め部材、を有することを特徴とする。
【００１８】
仮留め部材により、ストッパを本体側ハウジングに仮留めできるので、ヒンジ機構の製造が容易になる。
【００２２】
【発明の実施の形態】
図１には、本発明の一実施形態のヒンジ機構１２が適用された遊戯機１４が示されている。また、図２、図４及び図５には、ヒンジ機構１２が拡大して示されている。
【００２３】
図１から分かるように、ヒンジ機構１２は、遊戯機１４の遊戯機本体１６と遊戯機扉１８との間に配置されており、遊戯機扉１８を遊戯機本体１６に対して回動可能に連結している。なお、図１では、２つのヒンジ機構１２を適用した場合を示しているが、ヒンジ機構１２の数はこれに限定されず、たとえば３つ以上であってもよい。
【００２４】
図２に詳細に示すように、ヒンジ機構１２は、遊戯機本体１６の側壁２０に取り付けられる本体側ハウジング２２と、遊戯機扉１８に取り付けられる扉側ハウジング２４を有している。
【００２５】
本体側ハウジング２２は、平面視にて略三角形状に形成された上壁板２６及び下壁板２８と、これらを連結する連結板３０とによって一体的に構成されている。上壁板２６と下壁板２８とは平行とされており、本体側ハウジング２２を図２及び図３の矢印Ａ方向に見ると、略「コ」字状になっている。
【００２６】
下壁板２８からは、遊戯機本体１６への取付状態で遊戯機本体１６の側壁２０に接触する下側取付板３２が延出されている。下側取付板３２は、下壁板２８を延長すると共に下方に向けて直角に屈曲して形成されており、その中央にはボルト孔３６が形成されている。また、上壁板２６からも、遊戯機本体１６への取付状態で遊戯機本体１６の側壁２０に接触する上側取付板３４が延出されている。上側取付板３４も、上壁板２６を延長すると共に下方に向けて直角に屈曲して形成されており、下側取付板３２と上側取付板３４とは同一平面内に位置している。上側取付板３４の延出端近傍にもボルト孔３８が形成されており、図４及び図５に示すように、これらのボルト孔３６、３８にボルト４０を挿入し、さらに側壁２０に螺合することで、本体側ハウジング２２が遊戯機本体１６に取り付けられる。
【００２７】
そして、このように、上側取付板３４と下側取付板３２とを同一方向（本実施形態では下方）に向けて延出したことで、上側取付板３４と下側取付板３２が結果的に接近するので、本体側ハウジング２２を遊戯機本体１６に取り付けるために要するスペースが少なくて済む。また、上側取付板３４と下側取付板３２とが接近していることで、下壁板２８と下側取付板３２との境界部分近傍に作用する荷重が小さくなるので、上側取付板３４と下側取付板３２との総体での曲げ剛性が高くなっている。
【００２８】
なお、連結板３０からも同様に、補助取付板４２が延出されている。補助取付板４２も、上側取付板３２及び下側取付板３４とで構成される平面内に位置している。補助取付板４３の中央にもボルト孔４４が形成されており、このボルト孔４４に挿入したボルト４０を側壁２０に螺合するようになっている。
【００２９】
これに対し、扉側ハウジング２４は、上壁板４４と下壁板４６とが連結板４８によって連結され、全体として略「コ」字状に形成されている。
【００３０】
本体側ハウジング２２と扉側ハウジング２４との間には、第１リンク５０及び第２リンク５２が掛け渡されている。図４及び図５にも示すように、第１リンク５０及び第２リンク５２はいずれも、一端５０Ａ、５２Ａがピン５４によって本体側ハウジング２２に軸支され、他端５０Ｂ、５２Ｂがピン５６によって扉側ハウジング２４に軸支されている。
【００３１】
ピン５６は、扉側ハウジング２４の上壁板４４からさらに上方に突出しており、この突出部分が、遊戯機扉１８のブラケット５８に形成された挿通孔６０に挿通される。これにより、遊戯機扉１８がヒンジ機構１２に支持される。なお、遊戯機扉１８の上方への移動（ピン５６からの抜け）は、図示しない阻止手段によって阻止されており、不用意に遊戯機扉１８が遊戯機本体１６から離脱しないようになっている。
【００３２】
第２リンク５２の一端５２Ａは、第１リンク５０の一端５０Ａよりも側壁２０から離れた位置で軸支されている。そして、遊戯機扉１８を遊戯機本体１６に対して閉止した位置（図４参照）から、開放した位置（図５参照）へと矢印Ｒ方向に回動させると、この回動動作に伴って、第１リンク５０及び第２リンク５２の他端５０Ｂ、５２Ｂがいずれも側壁２０から離間する方向（図４及び図５において下方）へと変位する。これにより、遊戯機扉１８は、閉止位置から開放位置への回動に伴って遊戯機１２の手前側へと徐々にせり出すことになるので、開放位置にあるときに、例えば隣接する遊戯機等に接触することがなく、十分に大きく開放させることができる。
【００３３】
第１リンク５０には、長手方向略中央位置から他端５０Ｂにかけて幅狭とされて当接部６２が形成されている。また、第２リンク５２にも、長手方向略中央位置から他端５２Ｂにかけて、第１リンク５０に対向する側が切りかけられて、当接部６４が形成されている。
【００３４】
図４から分かるように、遊戯機扉１８が閉止位置にあるとき、第１リンク５０の当接部６２に第２リンク５２の他端５２Ｂが当接し、第２リンク５２の閉止方向（矢印Ｒ２と反対の方向）への回動が阻止されるようになっている。これにより、遊戯機扉１８の閉止方向（矢印Ｒと反対の方向）への回動も阻止される。
【００３５】
また、図５から分かるように、遊戯機扉１８が開放位置にあるとき、第２リンク５２の当接部６４に第１リンク５０の他端５０Ｂが当接し、第１リンク５０の開放方向（矢印Ｒ１方向）への回動が阻止されるようになっている。これにより、遊戯機扉１８の開放方向（矢印Ｒ方向）への回動も阻止されるため、遊戯機扉１８は開放位置で固定される。
【００３６】
第２リンク５２の一端５２Ａからは、他端５２Ｂ側と反対方向に向かって凸部６６が形成されている。第２リンク５２の回動により、凸部６６は一端５０Ａを中心とした円弧状の回動領域内を移動する。
【００３７】
図３にも示すように、本体側ハウジング２２の連結板３０の内面には、ストッパ６８が配置されている。ストッパ６８の一端には取付孔７０が形成されており、この取付孔７０に取付ネジ７２を挿通して、ストッパ６８が本体側ハウジング２２の連結板３０に取り付けられる。連結板３０には、ストッパ６８の他端側に対応した位置に開口７４が形成されており、ストッパ６８の他端側が、第２リンク５２から離間する方向へと弾性的に撓むようになっている。
【００３８】
ストッパ６８の他端側には、連結板３０から離間する方向へと略三角形状に屈曲する屈曲部７６が形成されており、屈曲部７６の両側が傾斜面７８、８０とされている。屈曲部７６は、第２リンク５２に形成された凸部６６の回動領域内に位置するように形成されており、遊戯機扉１８が閉止位置にあるときには凸部６６が傾斜面７８に接触し（図４参照）、遊戯機扉１８が開放位置にあるときには凸部６６が傾斜面８０に接触する（図５参照）ように、凸部６６との関係において、屈曲部７６の形状及び位置が決められている。
【００３９】
ストッパ６８の略中央からは、仮留め片８２が突設されている。これに対応して、本体側ハウジング２２の下壁板２８には、仮留め孔８４が形成されている。ストッパ６８を取付ネジ７２によって本体側ハウジング２２に取り付ける前に、仮留め片８２を仮留め孔８４に挿入し、ストッパ６８を本体側ハウジング２２に仮留めできるようになっている。これにより、一旦ストッパ６８を仮留めした状態で取付ネジ７２によって本体側ハウジング２２に取り付けでき、本実施形態のヒンジ機構１２を組みたてるときの作業（特に、取付ネジ７２の締め付け作業）が容易になる。
【００４０】
仮留め孔８４の縁部からは、当接板８６が立設されている。当接板８６は、図５に示すように、第１リンク５０が矢印Ｒ１方向に回動すると、その一端５０Ａの近傍部分が当接板８６に当接する位置とされている。これによっても、第１リンク５０の矢印Ｒ１方向の回動が阻止される。なお、当接板８６は、本体側ハウジング２２と別体で形成した部材を後工程で本体側ハウジング２２に取り付けて構成してもよいが、仮留め孔８４を形成したときの切残し部分を略直角に立ち上げるように形成すれば、部品点数を増やすことなく簡単な加工で当接板８６を設けることができる。
【００４１】
次に、本実施形態のヒンジ機構１２の作用を説明する。
【００４２】
図４に示すように、遊戯機扉１８が閉止位置にあるとき、第１リンク５０の当接部６２に第２リンク５２の他端５２Ｂが当接し、第２リンク５２の閉止方向（矢印Ｒ２と反対の方向）への回動が阻止されるため、遊戯機扉１８の閉止方向への回動も阻止される。また、この状態では、凸部６６がストッパ６８の傾斜面７８に接触しており、第２リンク５２の開放方向への回動に抵抗が生じるため、遊戯機扉１８が不用意に開放方向へ回動することもない。
【００４３】
遊戯機扉１８を開放方向（矢印Ｒ方向）へ回動させると、回動初期では、凸部６６が傾斜面７８に接触して第２リンク５２の回動の抵抗となっているので、遊戯機扉１８の回動にも適度な抵抗（いわゆるクリック感）が生じ、確実に開放動作を行うことができる。これに抗して遊戯機扉１８を回動させると、凸部６６が傾斜面７８を押圧するのでストッパ６８の他端側が撓み、屈曲部７６が凸部６６の回動領域から退避する。これにより、第２リンク５２が回動可能となるので、遊戯機扉１８を開放方向へ回動させることができる。
【００４４】
第２リンク５２の回動によって凸部６６が屈曲部７６を乗り越えると、傾斜面８０が凸部６６に接触する。この状態では、ストッパ６８の弾性反力が凸部６６に作用して第２リンク５２が矢印Ｒ２方向へ回動付勢されるので、遊戯機扉１８も開放方向へと付勢され、小さな力で遊戯機扉１８を開放させることができる。なお、遊戯機扉１８の開放角度（閉止位置から開放位置までの角度）は特に限定されないが、本実施形態では約１００°とし、遊戯機本体１６の前面が十分に開放されるようにしている。
【００４５】
図５に示すように、遊戯機扉１８が開放位置に至ると、第２リンク５２の当接部６４に第１リンク５０の他端５０Ｂが当接する。さらに、第１リンク５０の一端５０Ａの近傍部分も当接板８６に当接する。これらにより、第１リンク５０の開放方向（矢印Ｒ１方向）への回動が阻止される。遊戯機扉１８の開放方向（矢印Ｒ方向）への回動も阻止される。また、この状態では、凸部６６がストッパ６８の傾斜面８０に接触しており、第２リンク５２の閉止方向への回動に抵抗が生じるため、遊戯機扉１８が不用意に閉止方向（矢印Ｒと反対の方向）へ回動してしまうこともない。
【００４６】
なお、第２リンク５２の当接部６４と第１リンク５０の他端５０Ｂとの当接のみで、第１リンク５０の矢印Ｒ１方向への回動を確実に阻止できる場合には、当接板８６はなくてもよい。
【００４７】
遊戯機扉１８を閉止方向（矢印Ｒと反対の方向）へ回動させると、回動初期では、凸部６６が傾斜面８０に接触して第２リンク５２の回動の抵抗となっているので、遊戯機扉１８を開放させるときと同様、遊戯機扉１８の回動に適度な抵抗（クリック感）が生じ、より確実に閉止動作を行うことができる。これに抗して遊戯機扉１８を回動させると、凸部６６が傾斜面８０を押圧するのでストッパ６８の他端側が撓み、屈曲部７６が凸部６６の回動領域から退避する。これにより、第２リンク５２が回動可能となるので、遊戯機扉１８を閉止方向へ回動させることができる。
【００４８】
第２リンク５２の回動によって凸部６６が屈曲部７６を乗り越えると、傾斜面７８が凸部６６に接触する。この状態では、ストッパ６８の弾性反力が凸部６６に作用して第２リンク５２が矢印Ｒ２と反対の方向へ回動付勢されるので、遊戯機扉１８も閉止方向へと付勢され、小さな力で遊戯機扉１８を閉止させることができる。
【００４９】
以上の説明から分かるように、本実施形態のヒンジ機構１２では、従来の突起のような別部材を設けることなく、遊戯機扉１８を所定の位置（閉止位置及び開放位置）で確実に固定することができ、ヒンジ機構１２を構成する部品点数が少なくなる。また、ヒンジ機構１２の製造工程も簡略化でき、低コストでヒンジ機構１２を製造できる。
【００５０】
なお、上記説明では、本発明のリンク部材として、２本のリンク（第１リンク５０及び第２リンク５２）で構成されたものを例に挙げたが、要するに複数本のリンクにより、遊戯機扉１８の開放方向への回動によって回転中心が遊戯機本体１６から手前側で移動するようになっていれば、リンク機構を構成するリンクの数は限定されない。例えば、本発明のリンク機構が３本以上のリンクで構成されていてもよい。
【００５１】
また、本実施形態のように、本体側ハウジング２２や扉側ハウジング２４を備えた構成とすると、第１リンク５０及び第２リンク５２をそれぞれ本体側ハウジング２２及び扉側ハウジング２４に軸支させて一体的なヒンジ機構１２を組み付けておけば、このヒンジ機構１２を遊戯機本体１６及び扉側ハウジング２４に取り付けることで、遊戯機扉１８を遊戯機本体１６に対して回動可能に取り付けできる。それぞれのリンクを別々に遊戯機本体１６や遊戯機扉１８に取り付ける場合と比較して、取り付け工程が少なくなるので、作業が容易になる。
【００５２】
【発明の効果】
本発明は上記構成としたので、製造工程を煩雑にすることなく低コストで製造でき、しかも遊戯機扉の遊戯機本体に対する回動範囲を確実に一定範囲内に制限できる
【図面の簡単な説明】
【図１】本発明の一実施形態のヒンジ機構が適用された遊戯機を概略的に示す斜視図である。
【図２】本発明の一実施形態のヒンジ機構を遊戯機に適用された状態で示す斜視図である。
【図３】本発明の一実施形態のヒンジ機構の本体側ハウジング及びストッパを示す斜視図である。
【図４】本発明の一実施形態のヒンジ機構が適用された遊戯機を遊戯機扉の閉止状態でヒンジ機構近傍を拡大して示す一部破断平面図である。
【図５】本発明の一実施形態のヒンジ機構が適用された遊戯機を遊戯機扉の開放状態でヒンジ機構近傍を拡大して示す一部破断平面図である。
【図６】従来のヒンジ機構が採用された遊戯機を扉の閉止状態で示す平面図である。
【図７】従来のヒンジ機構が採用された遊戯機を扉の開放状態で示す平面図である。
【符号の説明】
１２    ヒンジ機構
１４    遊戯機
１６    遊戯機本体
１８    遊戯機扉
２２    本体側ハウジング
２６    下壁板（第２壁部）
２８    上壁板（第１壁部）
３２    上側取付板（第１取付板部）
３４    下側取付板（第２取付板部）
５０    第１リンク（リンク部材）
５０Ｂ  第１リンクの他端（当接部）
５２    第２リンク（リンク部材）
５２Ｂ  第２リンクの他端（当接部）
６２    当接部
６４    当接部
６６    凸部（接触部材）
６８    ストッパ（接触部材）
８２    仮留め片（仮留め部材）
【図１】
0004589551.tif 000002
【図２】
0004589551.tif 000003
【図３】
0004589551.tif 000004
【図４】
0004589551.tif 000005
【図５】
0004589551.tif 000006
【図６】
0004589551.tif 000007
【図７】
0004589551.tif 000008